(57)【要約】【課題】籠が回転する際に回転軸がぶれず、また回転軸を収容するハウジングが回転軸と共に回転することのない、調理用減圧遠心脱水機を提供する。【解決手段】調理用減圧遠心脱水機において、調理用の食材を収容した籠３の中心を貫通し、上端が籠から突出した縦軸１０を取付ける。  さらに、籠３を収容する減圧槽２の上蓋６に、エアシリンダ１９などの押圧手段を介して押え軸３５を収容する管状のハウジング３３を取付ける。また、前記縦軸１０の先端に嵌合手段９を設けて、エアシリンダ１９により押え軸１０を下方にスライドして前記嵌合手段９と嵌合する。【選択図】図４
2005130899.tif 000002
【特許請求の範囲】
【請求項１】
調理用の食材を収容した籠を、上部に形成した開口部より収容する減圧槽と、この減圧槽内を減圧機により減圧状態に維持すると共に、籠を載置した回転台を高速回転可能にして脱水及び除水し、脱水及び除水した水を槽外に排出する調理用減圧遠心脱水機において、
前記籠の中心を貫通し上端が籠から突出した縦軸を取付け、この縦軸の上端に嵌合手段を設け、
前記減圧槽の上蓋に、押え軸を収容する管状のハウジングを、押圧手段を介して取付け、
しかして、押圧手段により押え軸を下方にスライドして、前記縦軸の上端の嵌合手段と嵌合することを特徴とする回転装置。
【請求項２】
前記押圧手段がエアシリンダであることを特徴とする請求項１に記載の回転装置。
【請求項３】
前記ハウジングにフランジを設け、当該フランジに複数の通孔を設け、
複数本の回転防止杆の一端部を、当該フランジの通孔に固定し、他端部を減圧槽の上蓋に設けた通孔に摺動自在に挿入して、上蓋と軸受を連結することを特徴とする請求項１に記載の回転装置。
【発明の詳細な説明】
【技術分野】
【０００１】
本発明は、水洗いした野菜などを減圧遠心脱水する装置の改良に関する。
【背景技術】
【０００２】
開封後直ちに調理できるように予め適当な大きさに切った野菜は、カット野菜と呼ばれ、広く流通している。
このようなカット野菜の賞味期限の延長を図るために本発明者は、調理用減圧遠心脱水機を開発した（特許文献１参照）。
この調理用減圧遠心脱水機は、野菜の表面に付着した表面水の脱水のみならず組織内部の遊離水の除水もする。
【０００３】
しかし、カット野菜を入れた籠が回転する際に、減圧槽内に入れた際の籠の位置ずれや内容物であるカット野菜の偏在などに起因して、回転軸がぶれて籠が振動する虞がある。
また回転軸を減圧槽に固定する軸受が、回転軸と共に回転してしまい、機器が破損するおそれもある。
【特許文献１】特開２００３−４４９号公報
【発明の開示】
【発明が解決しようとする課題】
【０００４】
そこで、籠が回転する際にぶれず、また回転軸の回転により回転軸を取付ける軸受が回転軸と共に回転することのない調理用減圧遠心脱水機を提供することを目的とする。
【課題を解決するための手段】
【０００５】
上記課題を解決するために本発明は、調理用の食材を収容した籠を、上部に形成した開口部より収容する減圧槽と、この減圧槽内を減圧機により減圧状態に維持すると共に、籠を載置した回転台を高速回転可能にして脱水し、脱水した水を槽外に排出する調理用減圧遠心脱水機において、
前記籠の中心を貫通し上端が籠から突出した縦軸を取付け、この縦軸の上端に嵌合手段を設け、
前記減圧槽の上蓋に、押え軸を収容する管状のハウジングを、押圧手段を介して取付け、
しかして、押圧手段により押え軸を下方にスライドして、前記縦軸の上端の嵌合手段と嵌合することを特徴とする。
上記構成に加えて、前記ハウジングにフランジを設け、当該フランジに複数の通孔を設け、
複数本の回転防止杆の一端部を、当該フランジの通孔に固定し、他端部を減圧槽の上蓋に設けた通孔に摺動自在に挿入して、上蓋と軸受を連結するとよい。
また、押圧手段は、エアシリンダや油圧シリンダとする。
【発明の効果】
【０００６】
本発明は、籠の中心を貫通し上端が籠から突出した縦軸を取付け、この縦軸の上端に嵌合手段を設け、また減圧槽の上蓋に、押え軸を収容する管状のハウジングを、エアシリンダなどの押圧手段を介して取付ける。しかして、押圧手段により押え軸を下方にスライドして、前記縦軸の上端の嵌合手段と嵌合する。
従って、押え軸が縦軸を真上から押圧し、籠の上下左右の振動、特に上端部の横揺れを防止し、籠を円滑に回転できる。
また、請求項３の発明では、ハウジングにフランジを設け、当該フランジに複数の通孔を設け、
複数本の回転防止杆の一端部を、当該フランジの通孔に固定し、他端部を減圧槽の上蓋に設けた通孔に摺動自在に挿入して、上蓋と軸受を連結するので、ハウジングが回転することなく、籠を円滑に回転できる。
【発明を実施するための最良の形態】
【０００７】
以下に図面を参照して本発明の実施の形態を説明する。
図１は本発明を実施した減圧遠心脱水機の全体縦断正面図、図２は減圧遠心脱水機の上蓋の平面図、図３は減圧遠心脱水機の上蓋の開閉動作を示す正面図、図４は減圧遠心脱水機の上蓋の開閉動作を示す側面図、図５は減圧遠心脱水機の上部の縦断正面図、図６は減圧遠心脱水機の下部の縦断正面図である。
減圧遠心脱水機１は、減圧槽２、当該減圧槽２内に装着可能な籠３、この籠３を高速回転するモータ４、及び減圧槽２内を減圧状態に維持する真空ポンプ（図示せず）等を具備する。
減圧槽２は、円筒状に形成され、上部の開口部５に上蓋６を設け、底部７は閉じた構成である。この減圧槽２は減圧状態に耐え得るよう金属等で形成し、前記上蓋６を閉じると減圧槽２内は密閉状態に保たれる。
【０００８】
籠３は、上部に開閉可能な蓋８を設け、当該蓋８の回転中心上に溝穴９ａを有する嵌合用管９を設ける。この溝穴９ａを上端に行くに従い拡開する形状にする。また、籠４の中心部に縦軸１０を起立する。
【０００９】
減圧槽２内の下方には、円板状の回転台１１を設け、回転台１１の周縁部の四方にはそれぞれ突起状のガイド１２を設ける。
このガイド１２は、上記回転台１１上に籠３を載置する際に、籠３の底板３ａの周縁部に設けた溝３ｂと嵌合する。回転台１１の中心に設けた回転軸１３は、減圧槽２の底部７の内側に取付けた軸受台１４に軸受１５を介して回転自在に軸支されている。また、回転台１１の回転軸１３の先端は底部７を貫通し、この回転軸１３をギヤ伝達機構１６及び減速機構１７を介してモータ４の出力軸１８側に連結する。
【００１０】
上蓋６の外側上端部には円盤状の杆摺動板２１を固定し、この杆摺動板２１に昇降杆用挿通孔２２、回転防止杆用挿通孔２３，２３を設ける。
そして減圧槽２の外側に取付けたハウジング昇降用のエアシリンダ１９の昇降杆２０を昇降杆用挿通孔２２に、回転防止杆２４，２４を回転防止杆用挿通孔２３，２３にＯリング２５を介してそれぞれ挿通する。
【００１１】
さらにこの上蓋６の外側には、上蓋６を挟み対峙する一対のレール２６を設け、当該レール上を摺動する一対の扉左右移動部材２７を取付ける。この扉左右移動部材２７を上蓋６に固定した蓋取付板２８に、扉昇降用エアシリンダ２９を介し連結する。
３０は昇降補助杆であり、扉左右移動部材２７に穿設した通孔に挿通すると共に、上端部を蓋取付板２８に固定する。
３１はネジ棒であり、一方のレール２６に併設すると共に、蓋取付板２８に設けたナットに挿通する。３２はネジ棒回転用モータである。
【００１２】
３３はハウジングであり、上部にフランジ３４を有し、下端の開口部３３ｂが上端の開口部３３ａに比べ大きい管状のものである。このハウジング３３内に押え軸３５を、ベアリング３６を介装して収容する（図５参照）。
押え軸３５の先端部は、テーパ状すると共に、ハウジング３３の下端の開口部３３ｂより突出させる。
さらに、ハウジング３３の上端の開口部３３ａにエアシリンダ１９の昇降杆２０を固定する。また、フランジ３４に回転防止杆２４の下端部を固定する。
【００１３】
なお、減圧槽２の胴体の上方に設けたバルブ３７は、減圧槽２を減圧状態から常圧に戻す際の空気取入口である。さらに、減圧槽２の下部に設けたドレンバルブ３８は、脱水及び除水を終えた後、減圧槽２の底に溜まった水を減圧槽２の外へ排水するためのものである。
また、回転台１１の中心部に位置決め用凸部３９を設けると共に、籠の底板３ａの中心部外側に位置決め凹部４０を設ける（図６）。
４１は、上蓋６に設けた覗き窓である。この覗き窓４１は、必要に応じ減圧槽２に設けてもよい。
【００１４】
本発明の減圧遠心脱水機の構成は以上のとおりで、その動作は次のとおりである。
洗浄したカット野菜の入った籠３を、クレーン（図示せず）で上から吊り下げ、減圧槽２の内部に装着する。このとき、籠３の底板３ａに設けた溝３ｂや位置決め凹部４０が、前記ガイド１２及び位置決め用凸部３９に嵌合して位置合わせがされる。減圧槽２の上蓋６は、最初は開放しているが、籠３が減圧槽２内に装着した後に閉じる。
すなわち、上蓋６は図２、図３の一点鎖線の状態から実線の状態に移動する。まず上蓋６は図面上左から右へと移動し、減圧槽２上で停止する。この移動はネジ棒回転用モータ３２でネジ棒３１を回転することにより行う。
次に、扉昇降用エアシリンダ２９を作動して上蓋６を下降して閉じる。
【００１５】
その後、エアシリンダ１９の昇降杆２０を伸張して押え軸３５の先端部が下方にスライドすると、押え軸３５の先端部と溝穴９ａの傾斜面が互いにガイドとなりながら嵌合し、押え軸３５と嵌合用管９の回転中心が一致する。
こうして、籠３は減圧槽２の内部で回転可能な状態に保持され、さらに回転台１１の回転中心、籠３の回転中心（すなわち縦軸１０の中心）、押え軸３５の回転中心及び回転軸１３の中心が一致する。
【００１６】
次に、モータ４を駆動して回転台１１を回転し、この回転台１１の回転と共に籠３を高速回転させる。このとき、減圧槽２の内部は常圧である。カット野菜の表面に付着した表面水の大半は遠心力で脱水される。脱水時間は通常は１０分以内で充分であるが、もちろん食材の種類により適宜変更可能である。また、減圧槽２の底に溜まった水は、ドレンバルブ３８を用いて排出する。
この回転の際に押え軸３５と嵌合用管９が嵌合し籠３の上端部の横揺れを防止する。
また、エアシリンダ１９により押え軸３５は下向きに付勢されているので、籠３の上下振動を防止する。
さらに、ハウジング３３は回転止め杆２４により固定され、籠３が回転してもつられて回転することがない。
【００１７】
次に、減圧槽２の内部を真空ポンプ（図示せず）で減圧しながら籠３を高速回転する。これによって、残存する表面水だけでなく野菜組織内部の遊離水が取り除かれる。減圧条件及び籠３の回転数は食材の種類によって任意に設定可能であるが、例えばカット野菜の場合、減圧による組織内の遊離水を５〜７％程度除水するには通常３〜１０ｔｏｒｒ程度である。
昇降杆２０、回転止め杆２４が上蓋６を貫通しているが、Ｏリング２５により気密性が保持されている。
【００１８】
減圧工程終了後に、前記バルブ３７を少しずつ開いて減圧槽２内を常圧に戻す。そして、エアシリンダ１９の昇降杆２０を収縮して押え軸３５を上方にスライドさせてから、減圧槽２の上蓋６を開放（図２、図３の実線の状態から一点鎖線の状態に移動）し、クレーン（図示せず）で籠３を減圧槽２から引き上げ、籠３に入れたままの状態で次の工程へ移送する。減圧槽２の底に溜まった水はドレンバルブ３８を開いて排出する。
上蓋６の開放は、まず扉昇降用エアシリンダ２９を作動して上蓋６を上昇し、次に上蓋６を、図面上右から左へと移動して行う。
【００１９】
上記実施形態では、押え軸３５の先端部をテーパ状にし、溝穴９ａを上端に行くに従い拡開する形状にしたが、図７に示すように、押え軸３５の先端部に溝穴３５ａを形成し、籠の蓋８に突起４１（嵌合手段）を形成する。そして、突起４１を先端に行くに従い細くなるテーパ状にし、溝穴３５ａを突起４１と嵌合するよう下端に行くに従い拡開する形状にしてもよい。本発明では、籠の蓋８に設けた、上端に行くに従い拡開する形状の溝穴９ａを有する嵌合用管９、あるいはテーパ状の突起４１を併せて嵌合手段という。
同様に、回転台１１の中心部に設ける位置決め用凸部３９と、籠の底板３ａの中心部外側に設ける位置決め凹部４０の凹凸を入れ換えてもよい。
また、動力を使用して上蓋６の開閉を行っている（自動）が、本発明はこれに限るものではなく、手動で行ってもよい。ただし自動で行うと、ハウジング３３やエアシリンダ１９などを取付けて重くなった上蓋６を円滑に行えるという利点がある。
さらに、上蓋６は、ヒンジにより減圧槽２の開口部５に固定するなど、取付け方法も前記実施形態に限らない。
また、ハウジングの昇降にエアシリンダを使用しているがこれに限らず油圧シリンダであってもよい。本発明ではこれらを含めて押圧手段とする。
【図面の簡単な説明】
【００２０】
【図１】減圧遠心脱水機の全体縦断正面図である。
【図２】減圧遠心脱水機の上蓋の平面図である。
【図３】減圧遠心脱水機の上蓋の開閉動作を示す正面図である。
【図４】減圧遠心脱水機の上蓋の開閉動作を示す側面図である。
【図５】減圧遠心脱水機の上部の縦断正面図である。
【図６】減圧遠心脱水機の下部の縦断正面図である。
【図７】先端部に溝穴を有する押え軸と嵌合手段との嵌合状態を示す図である。
【符号の説明】
【００２１】
１    減圧遠心脱水機
２    減圧槽
３    籠
６    上蓋
８    籠の蓋
９    嵌合用管
１０  縦軸
１１  回転台
１２  ガイド
１９  エアシリンダ
２０  昇降杆
２４  回転止め杆
３３  ハウジング
３５  押え軸
【図１】
2005130899.tif 000003
【図２】
2005130899.tif 000004
【図３】
2005130899.tif 000005
【図４】
2005130899.tif 000006
【図５】
2005130899.tif 000007
【図６】
2005130899.tif 000008
【図７】
2005130899.tif 000009